(57)【要約】【課題】音声を出力するスピーカ等の装置が下面に設けられる場合に、ユーザに良質な音声を提供する。【解決手段】音声を出力するスピーカ２５Ａが設けられたスピーカユニット２５は、第２の筐体１２の下面に設けられた傾斜５１の内側の曲面５３に配置される。傾斜５１は、第２の筐体１２を手前方向に開口させ、第２の筐体１２の設置面５２との間に空間を形成する。本発明は、例えば、ノート型パーソナルコンピュータに適用することができる。【選択図】図５
2008072239.tif 000002
【特許請求の範囲】
【請求項１】
音声を出力する出力手段
を備え、
前記出力手段は、筐体の下面に設けられた傾斜の内側の面に配置され、
前記傾斜は、前記筐体を所定の方向に開口させ、前記筐体の設置面との間に空間を形成する
携帯電子機器。
【請求項２】
前記傾斜の内側の面は曲面である
請求項１に記載の携帯電子機器。
【請求項３】
前記傾斜は、前記筐体の一部を前記所定の方向に開口させる
請求項１に記載の携帯電子機器。
【発明の詳細な説明】
【技術分野】
【０００１】
本発明は、携帯電子機器に関し、特に、音声を出力するスピーカ等の装置が下面に設けられる場合に、ユーザに良質な音声を提供することができるようにした携帯電子機器に関する。
【背景技術】
【０００２】
近年、ノート型のパーソナルコンピュータ（以下、ノート型PCという）などの携帯電子機器が普及している。このような携帯電子機器には、音声を出力するスピーカが設けられていることが多く、そのスピーカの取り付け位置としては、様々な位置が考えられている。
【０００３】
例えば、低音域の音声を出力するために、筐体に格納された位置と所定の位置まで引き出された位置との間で移動自在に筐体に取り付けられ、筐体から所定の位置まで引き出されたとき、スピーカの下面に所定の空間を形成するキャビネットに、スピーカを取り付けることが考えられている(例えば、特許文献１参照)。また、デザイン性などを考慮し、筐体の下面に、スピーカを取り付けることも考えられている。
【０００４】
【特許文献１】特開２００１−１１９７７９号公報
【発明の開示】
【発明が解決しようとする課題】
【０００５】
しかしながら、ノート型PCの下面にスピーカが取り付けられた場合、その下面と設置面との間に隙間がないため、スピーカから出力された音声がこもり、十分な音量の音声をユーザに提供することが困難である。
【０００６】
本発明は、このような状況に鑑みてなされたものであり、音声を出力するスピーカ等の装置が下面に設けられる場合に、ユーザに良質な音声を提供することができるようにするものである。
【課題を解決するための手段】
【０００７】
本発明の一側面の携帯電子機器は、音声を出力する出力手段を備え、前記出力手段は、筐体の下面に設けられた傾斜の内側の面に配置され、前記傾斜は、前記筐体を所定の方向に開口させ、前記筐体の設置面との間に空間を形成する。
【０００８】
前記傾斜の内側の面は曲面であるようにすることができる。
【０００９】
前記傾斜は、前記筐体の一部を前記所定の方向に開口させるようにすることができる。
【００１０】
本発明の一側面においては、音声を出力する出力手段が、筐体の下面に設けられた傾斜の内側の面に配置され、前記傾斜は、前記筐体を所定の方向に開口させ、前記筐体の設置面との間に空間を形成する。
【発明の効果】
【００１１】
以上のように、本発明の一側面によれば、音声を出力するスピーカ等の装置が下面に設けられる場合に、ユーザに良質な音声を提供することができる。
【発明を実施するための最良の形態】
【００１２】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１３】
本発明の一側面の携帯電子機器（例えば、図１のノート型PC１０）は、
音声を出力する出力手段（例えば、図５のスピーカユニット２５）
を備え、
前記出力手段は、筐体(例えば、図５の第２の筐体１２)の下面に設けられた傾斜(例えば、図５の傾斜５１)の内側の面(例えば、図５の曲面５３)に配置され、
前記傾斜は、前記筐体を所定の方向(例えば、手前方向)に開口させ、前記筐体の設置面（例えば、図５の設置面５２）との間に空間を形成する。
【００１４】
以下、本発明を適用した具体的な実施の形態について、図面を参照しながら詳細に説明する。
【００１５】
図１は、本発明を適用したノート型PCの一実施の形態を示す概観図である。
【００１６】
以下の説明における方向は、特に断りのない限り、ノート型PCを操作するユーザの視点に立った方向を指すものとし、図１の左右方向を左右方向、手前側をタッチパッド２３側、奥側を連結部１３側とし、第１の筐体１１の裏面を上面、第２の筐体１２の裏面を下面とする。
【００１７】
図１に示すように、ノート型PC１０は、第１の筐体１１と第２の筐体１２とが、１つの軸で軸支される蝶番構造からなる連結部１３により、開閉可能に連結されて形成された折りたたみ形状により構成される。図１では、第１の筐体１１と第２の筐体１２とが連結部１３を介して１５０度程度開かれた状態を示している。第１の筐体１１の中央には、ディスプレイ２１が設けられ、ディスプレイ２１は画像などを表示する。
【００１８】
第２の筐体１２の中央の図中奥側には、キーボード２２が設けられる。また、第２の筐体１２のキーボード２２の手前側には、ポインティングデバイスとしてのタッチパッド２３が設けられ、さらに、タッチパッド２３の手前側には、２つのクリックボタン２４Ａと２４Ｂが設けられる。キーボード２２、タッチパッド２３、並びにクリックボタン２４Ａと２４Ｂは、ユーザの操作を受け付ける。
【００１９】
第２の筐体１２の左手前側の内部には、スピーカ２５Ａが設けられたスピーカユニット２５が配置され、右手前側の内部には、スピーカ２６Ａが設けられたスピーカユニット２６が配置される。スピーカユニット２５と２６の詳細な配置については、図４や図５で後述する。
【００２０】
図２は、図１のノート型PC１０の下面図である。
【００２１】
なお、図２では、ノート型PC１０は閉じられている。
【００２２】
図２に示すように、ノート型PC１０の第２の筐体１２の下面には、スピーカユニット２６に対応する位置にスピーカ２６から出力された音声を第２の筐体１２の外部に出力させるための複数の開口部を有するスピーカグリル４１が形成される。また、スピーカユニット２５に対応する位置には同様にスピーカグリル４２が配置される。このように、ノート型PC１０では、使用時にユーザから見えない下面側にスピーカグリル４１と４２が配置されるので、デザイン性が良い。
【００２３】
スピーカユニット２６のスピーカ２６Ａから出力された音声は、スピーカグリル４１を通過し、第２の筐体１２の外部に出力される。また、スピーカユニット２５のスピーカ２５Ａから出力された音声は、スピーカグリル４２を通過し、第２の筐体１２の外部に出力される。
【００２４】
図３は、図１のノート型PC１０を左側面から見た図である。
【００２５】
図３では、第１の筐体１１と第２の筐体１２とが連結部１３を介して１５０度程度開かれた状態を示している。
【００２６】
図３に示すように、第２の筐体１２の下面の手前側には、第２の筐体１２の奥側の厚みHrから、厚みHrに比べて薄い手前側の厚み（手前面２７の幅）Hfに徐々に厚みが変化するように、傾斜５１が設けられている。この傾斜５１は、第２の筐体１２の設置面５２との間に空間を形成し、第２の筐体１２を手前方向に開口させる。なお、図３の例では、傾斜５１は曲面により構成されている。傾斜５１の内側の曲面５３には、スピーカユニット２５が配置される。
【００２７】
図４は、第２の筐体１２の斜視図である。
【００２８】
なお、図４は、説明の便宜上、内部を透視することができるように表現されている。
【００２９】
図４に示すように、第２の筐体１２の手前面２７から下面に続く傾斜５１は、第２の筐体１２の手前側から奥側に向かって下向きに凹となる曲面５３を形成している。この曲面５３は、第２の筐体１２の設置面５２との間に所定の空間を形成する。また、この傾斜５１の内側の曲面５３の左右両端に、スピーカユニット２５、スピーカユニット２６がそれぞれ設けられている。
【００３０】
次に、図５を参照して、スピーカユニット２５の構成や配置について詳細に説明する。図５は、第２の筐体１２を左側面側から見た測断面図である。
【００３１】
図５のスピーカユニット２５は、スピーカ２５Ａ、ゴムカバー６１、および固定金具６２により構成される。図５に示すように、傾斜５１の内側の曲面５３には、突起部６３と６４が設けられており、その突起部６３と６４の上部にゴムカバー６１で周囲を覆われたスピーカ２５Ａが配置される。なお、図５の例では、設置面５２に対するスピーカ２５Ａの傾き角度は１４度となっているが、スピーカ２５Ａの傾き角度は、これに限定されない。
【００３２】
スピーカ２５Ａの上部には、点ａにおいてスピーカ２５Ａと接触する固定金具６２が設けられ、固定金具６２は、ネジ６５と６６により第２の筐体１２に固定されている。これにより、スピーカ２５Ａの上方向への移動を押さえることができる。また、スピーカ２５Ａの周囲をゴムカバー６１で覆うとともに、スピーカ２５Ａの背面を固定金具６２で覆うことにより、スピーカ２５Ａから出力された音声が、スピーカ２５Ａの背面または周囲に発散するのを防止することができる。さらに、スピーカ２５Ａは固定金具６２により面ではなく点で押さえられているので、いわゆるびびり音の発生は抑制される。
【００３３】
スピーカ２５Ａから出力される音声は、図中矢印で示すように、スピーカグリル４２を通過し、設置面５２と曲面５３とにおいて反射（反響）し、手前方向、即ちユーザのいる方向に出力される。
【００３４】
スピーカ２５Ａの傾き角度や、曲面５３の曲率または形状を変更することにより、出力される音声の反射角や反射距離を変化させて、音質に特有の効果を与えることができる。そこで、スピーカ２５Ａから出力される音質に応じて、スピーカ２５Ａの傾き角度を変更したり、曲面５３の曲率の一部または全部を変更する構成としても良い。これにより、音質に応じて効果的な出力音を得ることができる。
【００３５】
以上のように、手前方向に開口し、設置面５２との間に空間を形成する、第２の筐体１２の下面に設けられた傾斜５１の曲面５３に、スピーカユニット２５を配置するようにした場合には、スピーカ２５Ａから出力された音声が、より確実にノート型PC１０の手前方向に出力される。その結果、ノート型PC１０は、手前方向にいるユーザに、十分な音量の臨場感のある良質な音声を提供することができる。
【００３６】
また、ノート型PC１０では、スピーカユニット２５が第２の筐体１２の下面に配置されるので、ユーザは、ノート型PC１０を開かなくても、音声を聴くことができる。従って、例えば、第１の筐体１２の側面に設けられたインスタント起動モードスイッチ（図示せず）により、インスタント起動モードでPCを起動して音楽を聴く場合には、ユーザは、折り畳み式のノート型PC１０を開閉操作することなく、簡単な操作だけで音楽を楽しむことができる。
【００３７】
なお、説明は省略するが、スピーカユニット２５と同様に、スピーカユニット２６も構成され、曲面５３に配置される。
【００３８】
次に、図６の(a)乃至(d)を参照して、ゴムカバー６１で覆われたスピーカ２５Ａの構成を詳細に説明する。
【００３９】
図６の(a)は、ゴムカバー６１で覆われたスピーカ２５Ａを図５の設置面５２側から見た図である。また、図６の（b）は、ゴムカバー６１で覆われたスピーカ２５Ａを図中矢印Ｃ方向から見た正面図である。図６の(c)は、ゴムカバー６１で覆われたスピーカ２５Ａを図中矢印Ｂ方向から見た側面図であり、図６の(d)は、Ａ−Ａ断面図である。
【００４０】
図６の（d）に示すように、ゴムカバー６１のスピーカ２５Ａの表側の面である、図５の突起部６３または６４に設置される設置面７１と、周囲をゴムカバー６１で覆われたスピーカ２５Ａの表面７２との間には空間が形成されている。
【００４１】
なお、上述した説明では、傾斜５１の曲面５３の左右の端にスピーカユニット２５と２６が配置されたが、スピーカユニット２５と２６は左右に配置されれば、端でなくてもよい。
【００４２】
図７は、本発明を適用したノート型PCの他の一実施の形態のキーボードが設けられる筐体の斜視図である。
【００４３】
なお、図７において、図４と同一のものには同一の符号を付してある。
【００４４】
図７のノート型PC１００では、キーボードが設けられる筐体１０１の手前面１０１Ａの一部が、手前方向に開口するように、筐体１０１の左端に傾斜１０２が設けられ、右端に傾斜１０３が設けられている。傾斜１０２と１０３は、設置面５２との間に空間を形成する。
【００４５】
スピーカユニット２５は、傾斜１０２の内側の曲面１０４に設けられ、スピーカユニット２６は、傾斜１０３の内側の曲面１０５に設けられる。
【００４６】
スピーカユニット２５のスピーカ２５Ａから出力される音声は、設置面５２と傾斜１０２の外側の曲面１０６だけでなく、筐体１０１の手前面１０１Ａの手前方向に開口されていない部分の左側面１０７においても反響し、左手前方向に出力される。また、同様に、スピーカユニット２６のスピーカ２６Ａから出力される音声は、設置面５２と傾斜１０３の外側の曲面１０８だけでなく、筐体１０１の手前面１０１Ａの手前方向に開口されていない部分の右側面１０９においても反響し、右手前方向に出力される。
【００４７】
このように、図７のノート型PC１００では、筐体１０１の左側に設けられたスピーカユニット２５から出力される音声が左手前方向に出力され、筐体１０１の右側に設けられたスピーカユニット２６から出力される音声が右手前方向に出力されるので、手前方向にいるユーザは、よりステレオ感のある音声を聴くことができる。
【００４８】
なお、図７では、傾斜１０２と１０３は、筐体１０１の手前側の左右の端に設けられたが、傾斜１０２と１０３は、手前側の左右に設けられれば、端でなくてもよい。
【００４９】
また、上述した説明では、傾斜５１、１０２、および１０３は、曲面により構成されるものとしたが、平面により構成されるようにしてもよい。或いは、左側面１０７を曲面１０６に連なる曲面とし、右側面１０９を曲面１０８と連なるように形成してもよい。
【００５０】
さらに、本発明は、ノート型PCのほかに、ノート型以外のパーソナルコンピュータ、携帯電話機、ポータブルオーディオプレーヤ等の電子機器にも適用することができる。
【００５１】
また、本発明の実施の形態は、上述した実施の形態に限定されるものではなく、本発明の要旨を逸脱しない範囲において種々の変更が可能である。
【図面の簡単な説明】
【００５２】
【図１】本発明を適用したノート型PCの一実施の形態の上面図である。
【図２】ノート型PCの下面図である。
【図３】ノート型PCの側面図である。
【図４】ノート型PCの筐体の斜視図である。
【図５】ノート型PCの筐体の測断面図である。
【図６】スピーカ付近の詳細な構成を説明する図である。
【図７】本発明を適用したノート型PCの他の実施の形態の筐体の斜視図である。
【符号の説明】
【００５３】
１０  ノート型PC,  １２  第２の筐体，  ２５  スピーカユニット，  ２５Ａ  スピーカ，  ２６  スピーカユニット，  ２６Ａ  スピーカ，  ５１  傾斜，  ５２  設置面，  ５３  曲面，  １００  ノート型PC，  １０１  筐体，  １０２，１０３  傾斜，  １０４，１０５  曲面
【図１】
2008072239.tif 000003
【図２】
2008072239.tif 000004
【図３】
2008072239.tif 000005
【図４】
2008072239.tif 000006
【図５】
2008072239.tif 000007
【図６】
2008072239.tif 000008
【図７】
2008072239.tif 000009